(57)【要約】  ちり取り２０は、前方が開放した収納部２１と、収納部の少なくとも１つの細長いレール３５と、連結部分６５を有する細長いハンドル５０と、ハンドル５０が使用位置と収容位置との間で収納部２１に対して摺動自在で枢動自在に可動であるように少なくとも１つのレール３５に摺動可能に連結され、ハンドル５０の連結部分６５に回転可能に連結される連結機構とを含む。ほうき７０は、細長い第２のハンドル７２と毛の組８２を支持するヘッド７５を含み、ヘッド７５は、湾曲した側方部分７９を備えたハウジングを有し、ハウジングは、ちり取りハンドル５０の枢動摺動運動を妨げないようにちり取りハンドル５０に固定された収納位置でちり取りハンドル５０の凹所５７にそれぞれ収納されるような形状寸法である。ちり取りの収納部２１は、その平坦な後端壁２２上に立つことができ、収納されたほうき７０が中に受けられる。
2005514977.tif 000002
【特許請求の範囲】
【請求項１】
前方が開放した収納部と、
前記収納部の少なくとも１つの細長いレールと、
連結部分を有する細長いハンドルと、
前記ハンドルが前記収納部に対して摺動自在で枢動自在に可動であるように前記少なくとも１つのレールに摺動可能に連結され、前記ハンドルの連結部分に回転可能に連結された連結機構とを含むちり取り。
【請求項２】
前記少なくとも１つの細長いレールは、２つの側方に間隔を置いたレールを含み、前記ハンドルの連結部分は、一対の脚部を有するヨークの形態であり、前記連結機構は、前記レールに摺動可能にそれぞれ連結されそして前記脚部に回転可能にそれぞれ連結された２つの連結器を含む請求項１に記載のちり取り。
【請求項３】
前記収納部は、一対の直立した側壁を含み、前記レールは、前記側壁にそれぞれ配置されている請求項２に記載のちり取り。
【請求項４】
前記レールは、前記側壁の内面にそれぞれ配置されている請求項３に記載のちり取り。
【請求項５】
前記収納部は、後端壁及び前記後端壁と一体状であり、前記後端壁から前方に突出している周壁構造を含み、前記周壁構造は、前記ハンドルの回転運動を容易にするために前記周壁構造の他の部分より短い上壁部分を含む請求項１に記載のちり取り。
【請求項６】
前記連結部分は開口を有し、前記連結機構は、前記開口を通って受けられ、前記少なくとも１つの細長いレールを摺動可能に受けるほぼ溝形状部分を一方の端部に備えている請求項１に記載のちり取り。
【請求項７】
底壁を有する前方が開放した収納部と、
前記収納部の少なくとも１つの細長いレールと、
長手方向の軸線及び連結部分及び保持部分を有する細長いハンドルと、
前記ハンドルが前方位置と後方位置との間で少なくとも１つのレールに沿って摺動自在に可動であり、前記底壁にほぼ平行な収納位置と前記底壁にほぼ直角な使用位置との間で前記収納部に対して枢動自在に可動であるように少なくとも１つのレールに摺動可能に連結され、前記連結部分に枢動可能に連結された連結機構とを含み、
前記保持部分は、前記ハンドルを前方位置及び使用状態に保持するために前記底壁と摩擦係合するように配置されるちり取り。
【請求項８】
前記保持部分は、前記ハンドルの端部に配置される請求項７に記載のちり取り。
【請求項９】
前記保持部分は、前記底壁に摩擦係合可能な突出部を含み、前記底壁は、前記ハンドルの使用位置へのオーバーセンター運動を可能にするような十分な可撓性及び弾性を有する請求項８に記載のちり取り。
【請求項１０】
前記少なくとも１つのレールは、側方に間隔を置いた２つのレールを含み、前記ハンドルの連結部分は、一対の脚部を有するヨークの形態であり、前記連結機構は、前記レールに摺動可能に連結され、前記脚部にそれぞれ回転可能に連結された２つの連結器を含む請求項７に記載のちり取り。
【請求項１１】
前記底壁は、前縁を有し、前記収容部は、前記ハンドルの枢動運動を容易にするために前記底壁の前縁の後方に間隔を置いた前縁を有する上壁部分を含む請求項７に記載のちり取り。
【請求項１２】
前記連結部分は開口を有し、前記連結機構は、前記開口を通って受けられ、その一端に少なくとも１つの細長いレールを摺動可能に受けるほぼ溝形状部分を備えている回転軸を含む請求項７に記載のちり取り。
【請求項１３】
底壁及び対向側壁を有する前方が開放した収納部を含むちり取りと、
前記側壁にそれぞれ枢動可能に連結され、中に細長い凹所が形成された脚部を含むヨークをその一端に有する細長い第１のハンドルと、
細長い第２のハンドル及び一組の毛を支持するヘッドを含むほうきとを有し、
前記ヘッドは、湾曲した側方部分を有するハウジングを備え、前記ハウジングは、前記ほうきが第２のハンドルが前記第１のハンドルに沿ってほぼ平行に配置され、毛が前記収容部内に配置される収容位置にあるとき、前記脚部の凹所にそれぞれ配置されるような形状寸法である組み合わせ。
【請求項１４】
前記第１のハンドルは、前記ほうきを収納位置に保持するための第２のハンドルと係合可能なクリップを有する請求項１３に記載の組み合わせ。
【請求項１５】
前記第１のハンドルは、前記底壁にほぼ平行な収納位置と前記底壁にほぼ直角な使用位置との間で回転可能に可動である請求項１３に記載の組み合わせ。
【請求項１６】
前記底壁は前縁を有し、前記収納部は、前縁を有する上壁部分を含み、前記前縁は、前記第１のハンドルの回転運動を容易にするために前記底壁の前記前縁の後方に間隔を置いている請求項１５に記載の組み合わせ。
【請求項１７】
前記側壁によってそれぞれ支持された２つの細長いレールを含み、前方位置と後方位置との間で前記第１のハンドルの摺動運動が可能なように前記ヨークの脚部を前記レールにそれぞれ摺動可能に連結する連結機構を含む請求項１３に記載の組み合わせ。
【請求項１８】
前記側壁に取り付けられた保持部材を含み、前記脚部は、前記ハンドルの回転運動を防止するために前記第１のハンドルが後方位置にあり、前記底壁にほぼ平行に配置され、前記ほうきが収納位置に配置された収納位置にあるとき、前記保持部材に係合可能な保持部分をそれぞれ有する請求項１７に記載の組み合わせ。
【請求項１９】
前記収納部は、平坦な後端壁を有し、前記第１のハンドルが後方位置にあり、前記ほうきが収納位置に配置された収納位置にあるとき前記ちり取りが前記平坦な後端壁上に休止する請求項１８に記載の組み合わせ。
【請求項２０】
前記ヘッドは、前記毛を支持し、前記第２のハンドルに固定される毛用プレートを有し、前記毛用プレートは、前記ヘッドハウジングにスナップ嵌合可能である請求項１３に記載の組み合わせ。
【発明の詳細な説明】
【技術分野】
【０００１】
本発明は、床を清掃する際に使用する装置、詳細には、掃き掃除のための道具ないし家庭用品に関する。本発明は特に、ちり取りとほうきの組み合わせに関する。
【背景技術】
【０００２】
ちり取りとほうき及びその組み合わせは、長い間、提供されてきた。また、使用者が直立している状態で使用することができるように長いハンドルを備え、又は収納のためにほうきおよびちり取りのハンドルを一緒に固定することができる構成のほうきは知られている。特に、使用されない時にほうきのヘッド及び／又は毛がちり取りの収納部内に収納される構成が提供されてきた。
【発明の開示】
【発明が解決しようとする課題】
【０００３】
しかしながら、このような組み合わせは、ちり取りの収納部からほうきの毛を引くためにちり取りとほうきのハンドルを互いに分離する必要がある。したがって、回転ハンドルを備えたちり取りが提供されたが、それらは、ほうきのハンドルがちり取りのハンドルに固定されている間、回転運動をすることができなかった。また、異なる位置に固定することができる回転ハンドルを備えたちり取りを提供することは知られているが、固定状態へ、又は固定状態からの移動は、両方の手を使用すること、例えば、一方の手でハンドルを操作し、他方の手で固定機構を操作する必要がある。
【課題を解決するための手段】
【０００４】
この明細書において、さらに構造上操作上の利点を追加しながら、従来の構成の欠点を回避するちり取り/ほうきの組み合わせが開示される。１つの重要な側面は片方の手で使用状態と収納状態との間を容易に動かすことができる長い回転ハンドルを備えたちり取りを提供することである。
【０００５】
他の側面は、ほうきがちり取りのハンドルに接続可能であり、ちり取りのハンドルの種々の状態の間で可動であるちり取りとハンドルの組み合わせの提供である。
【０００６】
他の側面は、比較的簡単で、経済的な構造である前述したタイプの組み合わせを提供することである。
【０００７】
これら及び他の側面の内のあるものは、前方が開放した収納部と、収納部の少なくとも１つの細長いレールと、連結部分を有する細長いハンドルと、ハンドルが収納部に対して摺動自在で枢動自在に可動であるように少なくとも１つのレールに摺動可能に連結され、ハンドルの連結部分に枢動可能に連結される連結機構とを含むちり取りを提供することによって達成することができる。
【０００８】
保護すべき主題の理解を容易にすることを目的として、その実施例を図面に示すが、その検証により、次の説明と関連して考えるとき、保護すべき主題、その構造及び動作及びその利点の多くを容易に理解し評価すべきである。
【実施例】
【０００９】
図１から図３を参照すると、ちり取り２０及びほうき７０を含み、全体を符号１０で指すそれらの組み合わせが示されている。図６及び図８を参照すると、ちり取り２０は、前方が開放した収納部２１を含み、対向する側壁２４、２５及び上壁２６を含む前方に突出した周壁構造２３を備えた３つの側面と一体のほぼ平坦な後端壁２２を含む。側壁２４、２５は、前方にわずかに集束し、外側から見たときにわずかに凸状であり、下方及び前方に傾斜する上方の前縁２７をそれぞれ備えている。また、上壁２６は、その外側から見た時にわずかに凸形状をしており、凹形状に湾曲した前縁２８を有し、前縁２８は、側壁２４、２５の前縁２７と連続しており、図１及び図３で最もよく理解できるように、上壁２６で破断した弧状の前方開口部２９を画定している。また、周壁構造２３は、平坦な後方部分３１と、傾斜リップ３３で終結するわずかに下方及び前方に傾斜した前方部分３２とを有するほぼ矩形の底壁３０を含む。
【００１０】
図５及び図７を参照すると、側壁２４、２５と一体であり、側壁から側方内側に突出している細長いウエブ３４があり、このウエブ３４は、底壁３０とほぼ平行であり、内端がレール３５と一体であり、レール３５は、横断面が底壁３１にほぼ直角である主軸を有する楕円である。レール３５の側方内面は、強化ウエブ３７によって間隔を開けられた凹所３６を画定するように破断されている。短い停止ラグ３８が各レール３５の前端から側方内側に突出している。各側壁２４，２５と一体状であり、関連レール３５の後端の後方の短い距離で、そのすぐ上下（１つが図７に示されている）に、狭い矩形の基台３９ａを備えた取付ポスト３９がある。取付ポスト３９のちょうど後方に側壁２４及び２５とそれぞれ一体状で側壁から側方内側に突出している保持突出部分４０がある。各突出部分は、下方に開口したほぼＣ形状のフランジ４２と一体の細い矩形のリブ４１を含む（図７及び図８参照）。
【００１１】
取付ポスト３９にほぼ矩形の停止プレート４４がそれぞれ取り付けられており、各停止プレート４４は、関連するポスト３９を受ける貫通する円形の中央開口部を有し、停止プレート４４を所定の位置に堅固に取り付けるために関連する取付ラグ３９に嵌合するチナーマン（Tinnerman）型ワッシャのような歯を有するワッシャ４６によって所定の位置に保持される。基台３９ａは、拡散する側壁２４，２５に停止プレート４４のための平行な着座面を提供する。各停止プレート４４は、その前端に側方内側に突出するフランジ４５を有し、そのフランジは、使用時に、関連するレール３５の後端又は内端に当接して配置される。
【００１２】
図４を参照すると、ちり取り２０は、その遠位端上に成形されたグリップ部分５２を備えた細長い軸５１を含むハンドル組立体５０を有し、このグリップ部分５２は、SANTOPRENE（商標名）で販売される適切なエラストマー材料から形成してもよい。グリップ部分５２は、その下端に前方に突出するＣクリップ５３を備えている。軸５１の近位端は、一対の脚部５６を有するほぼy形状のヨーク５５のネック部分に差し込まれており、脚部は、それぞれ、その両側にほぼ下方に面し、使用時に前方に面する凹形状の凹所５７を画成している。各脚部５６は、端部に厚い強化ラグを備えた保持延長部５８をその近位端に備えている。
【００１３】
特に、図５及び図６を参照すると、各保持延長部５８は、円形部分６１とほぼ三角形の舌部分６２とを含むほぼカギ穴形状の貫通開口を形成している。脚部５６は、使用中レール３５の丁度側方内側に配置され、それぞれ連結器６５によって連結されている。各連結器６５は、ほぼ円形の柄部６６を含み、柄部６６は、関連する脚部５６の開口部６０を貫通しており、柄部６６は、その内端に、一方の方向に関連する脚部５６の開口６０を貫通するような寸法のカギ穴形状のヘッド６７を備えている。各連結器６５は、図５で最もよく分かるように柄部６６の対向端部に、関連するレール３５を摺動可能に受けるようになっているほぼＣ形状の溝６８を備えている。
【００１４】
組立時、連結器６５のヘッド６７は、それぞれ外側から内側に脚部５６のカギ穴形状の開口６０を通るように嵌合され、次に、舌部分６２が脚部の遠位端に向かって延びるように１８０°回転される（図６参照）。次に、溝６８がレール３５の後端上を滑らせられ、停止プレート４４が所定の位置に取り付けられ、停止プレートフランジ４５がレール３５上の停止ラグ３８と協働して連結器６５がレール３５から外れることを防止する。したがって、連結器６５は協働して連結機構を形成し、この機構は、停止ラグ３８に当接する前方位置（図５参照）と停止フランジ４５に当接する後方位置との間でレール３５に沿ってハンドル５０の摺動運動を可能にすると同時に、収容部２１に対して連結器の柄部６６の軸線の周りのハンドル５０の回転運動に適応する。ハンドル５０が後方位置の底壁３０とほぼ平行な収容状態にあるとき、ハンドル脚部５６の保持延長部は、さらに完全に説明することを目的として図８で最もよく理解できるようにそれぞれ保持突出リブ４１に重なる。
【００１５】
ハンドル５０が前方位置に摺動するとき、収納位置と直立使用位置との間で回転することができ（図５参照）、軸５１の長手方向軸線は、底壁３０に対して大きな鋭角で配置される。さらに詳細に説明すると、ハンドル５０が上方に回転すると、保持延長部５８の遠位端が、その傾斜前方部分３２の直ぐ後方で底壁３０の内面に摩擦的に係合し、ハンドル５０の回転運動が続くと、底壁５６がわずかにたわみ、ハンドルの脚部５６が使用位置で上壁２６の前縁２８に係合するまで、保持延長部５８の遠位端が底壁３０の後方部分３１と傾斜前方部分３２との間の接合部を越えて前方に行くことができ、軸５１の長手方向軸線が垂直線のほんのわずか後方に越えて傾斜される（図５参照）。したがって、保持延長部５８は、カム動作、オーバーセンター運動を続け、ハンドル５０を直立使用状態において弾性的に保持する。上壁２６の弧状の前方開口２９は、ハンドル５０の回転運動に対応することは理解できよう。
【００１６】
図９を参照すると、ほうき７０は、遠位端上に成形されたグリップ７３を備えた細長い中空の管状軸７２を有するハンドル７１を含み、グリップは、サントプレン（SANTOPRENE）から形成されてもよく、その遠位端の貫通穴７４が形成されていてもよい。また、ほうき７０は、円筒形のネック部分７６及びほぼ三角形状の前壁及び鋭角の傾斜側面７９によって接合されたほぼ三角形の前壁及び後壁７７、７８を備えたほぼ平坦な中空ハウジング７４を備えたヘッド７５を含む。ほうき７０は、毛の束８２をそれぞれ受けるために下面に形成された穴又は開口を備えたプラスチック製の毛用プレート８０を含み、毛用プレート８０は、切削剤又は他の適当な手段によって所定の位置に固定することができる。毛用プレート８０は、その中央から上方に突出しているネックポスト部分８３を有し、中空のハンドル軸７２の下端に受け入れられ、適当な手段によって所定の位置に固定される。毛用プレート８０は、その外周に形成されたスナップリム８５を有し、スナップリム８５は、下端に隣接してヘッドハウジング７４から側方下方に突出しているスナップビード８４と係合するようになっている（図３参照）。
【００１７】
組立時、ハンドル軸７２の下端は、ヘッドハウジングネック部分７６の上端を通して嵌合され、毛用プレート８０のネックポスト８３に固定される。ハンドル軸７２は、上方に引かれ、毛のプレート８０を所定の位置に固定するためにスナップリム８５がスナップビード８４を越えて固定されるまで毛用プレート８０をヘッドハウジング７４の下端に上方に引き、毛８２は、ヘッドハウジング７４の下端の下に下方に突出する。ハンドル軸７２は、好ましくは、横断面で円形であり、２つを一緒に取り付けるためにちり取りハンドル５０のＣクリップ５３内にスナップばめされるような寸法である。また、図２及び図３で最もよく理解できるように、ほうきヘッド７５及び特に、その傾斜側面７９は、収納状態でほうきハンドル５０の脚部凹所に収納される寸法及び形状である。したがって、ほうき７０は、収納時に、ほうきハンドル５０と共に移動することができ、その回転又は摺動運動のいずれも邪魔することがない。
【００１８】
したがって、ほうきハンドル５０に取り付けられた後、好ましくは、ハンドル５０が直立使用位置にあるとき、ちり取りハンドル５０は、収納位置に下方に回転することができる。次に、ちり取りハンドルが直立して保持されているとき、ちり取り収容部２１は、その最前端位置で停止ラグ３８に対して重力で連結器６５によって自由に支持される。収容部２１は、後端壁２２及びハンドル５０で支持されることができ、取り付けられたほうき７０は、収容部２１内に落下することができ、保持延長部５８は、それぞれ保持突出部４０上を摺動する（図２、３及び８参照）。したがって、保持延長部５８と保持突出部４０との係合は、上壁２５に向かうハンドルの回転運動を防止し、ほうきのヘッドハウジング７４と収容部の底壁３０との係合は、反対側への回転運動を防止し、組み合わせ体１０は、収容部の後端壁２２上に釣り合いをとって留まり、倒れることがない。
【００１９】
組み合わせ体１０を使用したいとき、接合されたハンドルは簡単に把持され、上方に引かれ、連結器６５がレール８５の前端で１０に示すように停止ラグ３８に当接して停止するまで、収容部２１を下方に落下させることができる。次に、収容部は、底壁３０が床１５上になるように置かれることができ、前述したようにハンドル５０は、その使用位置に回転される（図１１参照）。そのとき、ほうき７０は、図１２に示すように使用のためにハンドル５０から離すことができる。
【００２０】
好ましくは、組み合わせ体１０は、チナマン型ワッシャ４６及びハンドルグリップ５２、７３を除いて適当なプラスチック材料から形成される。また、ほうきの毛８２も適当なプラスチック材料から形成することができる。好ましくは、収容部２１，ハンドルヨーク５５及びほうきヘッド７５は、毛用プレート８０のように成形された一体の構造である。しかしながら、所望ならば、他の材料及び製造技術を使用することができることは理解できよう。
【００２１】
前述したことから、回転運動と摺動運動を組み合わせることによってちり取りハンドルが片方の手で収納位置と使用位置との間で容易に移動することができ、回転運動及び摺動運動を妨げることなくほうきをちり取りハンドルに収納することができる改良されたちり取りとほうきの組み合わせが提供されたことが分かる。
【００２２】
これまでの詳細な説明及び添付図面において説明した事柄は、説明のためのみであり、制限することなしに提案される。特定の実施形態を図示し説明したが、広範な出願人の寄与から逸脱することなく改造及び変更が行われることは明らかである。考えられる保護の範囲は、従来の技術に基づいて適当な観点で見た場合、次の特許請求の範囲で定義されることが意図されている。
【図面の簡単な説明】
【００２３】
【図１】収納された状態でのちり取り及びほうきの組み合わせの正面図である。
【図２】図１の組み合わせの側面図である。
【図３】内側の構造をさらにはっきりと示すために破断した部分を有する図１の組み合わせの下端部の拡大された破断図である。
【図４】図１のちり取りのハンドル組立体の正面図である。
【図５】使用状態におけるちり取り収納部とちり取りハンドルとの協働を示す拡大破断斜視図である。
【図６】図４のハンドル組立体の左手の脚部の端部の拡大破断図である。
【図７】図３に示すような収納部のちり取りの左手側壁の拡大された破断断面図である。
【図８】ちり取りハンドル組立体が収納状態で、関連するほうきが仮想線で示された図７のレール組立体の側面図である。
【図９】図１の組み合わせのほうきの分解した正面図である。
【図１０】図２と同様であるが、収納部のレールの上端まで上昇されたハンドルを示すわずかに縮小した図面である。
【図１１】ちり取りが使用状態に位置された図１０の組み合わせを示す図である。
【図１２】ほうきを使用するためにちり取りから離したことを示す図１１と同様の図面である。
【図１】
2005514977.tif 000003
【図２】
2005514977.tif 000004
【図３】
2005514977.tif 000005
【図４】
2005514977.tif 000006
【図９】
2005514977.tif 000007
【図５】
2005514977.tif 000008
【図６】
2005514977.tif 000009
【図７】
2005514977.tif 000010
【図８】
2005514977.tif 000011
【図１０】
2005514977.tif 000012
【図１１】
2005514977.tif 000013
【図１２】
2005514977.tif 000014
【国際調査報告】
2005514977.tif 000015